(57)【要約】【課題】接続先の同位トランシーバの機能に応じて中央ユニットとして動作するか遠隔ユニットとして動作するかを自在にかつ自動的に選択することが可能なトランシーバユニットを提供すること。【解決手段】このトランシーバユニットは最初に、ハンドシェーク手続きを開始するために同位装置が送信する可能性のある信号を傍受する。そのような信号は事実上同位装置を遠隔ユニットまたは中央ユニットと識別し、かつトランシーバユニットが適切な役割りを選択することを可能にする。信号が検出されない場合、トランシーバはハンドシェーク手続きを開始することを試み、同位装置から入る相応の信号を待ち受ける。第１の実施形態では、トランシーバは遠隔ユニットのみとしてハンドシェーク手続きを開始することを試みる。第２の実施形態では、トランシーバは中央ユニットと遠隔ユニットの両方としてハンドシェーク手続きを開始することを試みる。【選択図】      図１
2004282726.tif 000002
【特許請求の範囲】
【請求項１】
トランシーバユニットであって、
物理的媒体から第１のダウンストリームハンドシェーク開始信号（Ｃ−ＴＯＮＥＳ）と第１のアップストリームハンドシェーク開始信号（Ｒ−ＴＯＮＥＳ−ＲＥＱ）を検出するように構成された受信ユニット（ＲＸ）、
前記物理的媒体上に第２のアップストリームハンドシェーク開始信号（Ｒ−ＴＯＮＥＳ−ＲＥＱ）を送信するように構成された送信ユニット（ＴＸ）、
前記トランシーバユニットを中央ユニットまたは遠隔ユニットとして識別するように構成された自己識別モジュール（ＳＩＭ）を含み、
前記自己識別モジュールが前記受信ユニットと前記送信ユニットに結合され、前記自己識別モジュールが、さらに
第１の時間間隔（Ｔ１）内で前記第１のダウンストリームハンドシェーク開始信号と前記第１のアップストリームハンドシェーク開始信号のいずれかの検出を待ち受け、
前記第１のダウンストリームハンドシェーク開始信号と前記第１のアップストリームハンドシェーク開始信号のいずれも前記第１の時間間隔内で検出されない場合に前記第２のアップストリームハンドシェーク開始信号を送信するように前記送信ユニットに要求し、第２の時間間隔（Ｔ２）内で前記第１のダウンストリームハンドシェーク開始信号の検出を待ち受け、
前記第１の時間間隔内または前記第２の時間間隔内で前記第１のダウンストリームハンドシェーク開始信号が検出されると前記トランシーバユニットを遠隔ユニットとして識別し、
前記第１の時間間隔内で前記第１のアップストリームハンドシェーク開始信号が検出されると前記トランシーバユニットを中央ユニットとして識別するように構成されることを特徴とするトランシーバユニット（ＴＵ）。
【請求項２】
前記受信ユニットがさらに、前記物理的媒体からアップストリームハンドシェーク確認信号（Ｒ−ＴＯＮＥ１）を検出するように構成されること、
前記送信ユニットがさらに、前記物理的媒体にわたって第２のダウンストリームハンドシェーク開始信号（Ｃ−ＴＯＮＥＳ）を送信するように構成されること、
および自己識別モジュールがさらに、
前記第１のダウンストリームハンドシェーク開始信号と前記第１のアップストリームハンドシェーク開始信号のいずれも第１の時間間隔内で検出されない場合に前記第２のダウンストリームハンドシェーク開始信号を送信するように前記送信ユニットに要求し、第３の時間間隔（Ｔ３）内で前記アップストリームハンドシェーク確認信号の検出を待ち受け、
前記第３の時間間隔内で前記アップストリームハンドシェーク確認信号が検出されると前記トランシーバユニットを中央ユニットとして識別するように構成されることを特徴とする請求項１に記載のトランシーバユニット。
【請求項３】
前記自己識別モジュールがさらに、前記第２の時間間隔内で前記第１のダウンストリームハンドシェーク開始信号が検出されない場合に前記第２のダウンストリームハンドシェーク開始信号を送信するように前記送信ユニットに要求するように構成されることを特徴とする請求項２に記載のトランシーバユニット。
【請求項４】
前記自己識別モジュールがさらに、前記第３の時間間隔内で前記第１のアップストリームハンドシェーク確認信号が検出されない場合に前記第２のアップストリームハンドシェーク開始信号を送信するように前記送信ユニットに要求するように構成されることを特徴とする請求項２に記載のトランシーバユニット。
【請求項５】
前記自己識別モジュールがさらに、前記第１のダウンストリームハンドシェーク開始信号と前記第１のアップストリームハンドシェーク開始信号のいずれも第１の時間間隔内で検出されない場合、および前記第１のダウンストリームハンドシェーク開始信号が前記第２の時間間隔内で検出されない場合にランダムまたは擬似ランダムの時間の間待機するように構成されることを特徴とする請求項１に記載のトランシーバユニット。
【請求項６】
前記第１の時間間隔または前記第２の時間間隔のいずれの長さもランダムまたは擬似ランダムの数であることを特徴とする請求項１に記載のトランシーバユニット。
【請求項７】
前記トランシーバユニットがデジタル加入者回線のトランシーバユニットであること、および前記第１のダウンストリームハンドシェーク開始信号がＩＴＵ勧告Ｇ．９９４．１によるＣ−ＴＯＮＥＳ信号であり、前記第１のアップストリームハンドシェーク開始信号と前記第２のアップストリームハンドシェーク開始信号がＩＴＵ勧告Ｇ．９９４．１によるＲ−ＴＯＮＥＳ−ＲＥＱ信号であることを特徴とする請求項１に記載のトランシーバユニット。
【請求項８】
前記トランシーバユニットがデジタル加入者回線のトランシーバユニットであること、および前記第１のダウンストリームハンドシェーク開始信号と前記第２のダウンストリームハンドシェーク開始信号がＩＴＵ勧告Ｇ．９９４．１によるＣ−ＴＯＮＥＳ信号であり、前記第１のアップストリームハンドシェーク開始信号と前記第２のアップストリームハンドシェーク開始信号がＩＴＵ勧告Ｇ．９９４．１によるＲ−ＴＯＮＥＳ−ＲＥＱ信号であり、前記アップストリームハンドシェーク確認信号がＩＴＵ勧告Ｇ．９９４．１によるＲ−ＴＯＮＥ１信号であることを特徴とする請求項２に記載のトランシーバユニット。
【請求項９】
前記トランシーバユニットがデジタル加入者回線のトランシーバユニットであること、および前記第１のダウンストリームハンドシェーク開始信号と前記第２のダウンストリームハンドシェーク開始信号がＩＴＵ勧告Ｇ．９９４．１によるＣ−ＴＯＮＥＳ信号であり、前記第１のアップストリームハンドシェーク開始信号と前記第２のアップストリームハンドシェーク開始信号がＩＴＵ勧告Ｇ．９９４．１によるＲ−ＴＯＮＥＳ−ＲＥＱ信号であり、前記アップストリームハンドシェーク確認信号がＩＴＵ勧告Ｇ．９９４．１によるＲ−ＦＬＡＧ１信号であることを特徴とする請求項２に記載のトランシーバユニット。
【発明の詳細な説明】
【技術分野】
【０００１】
本発明は、
−物理的媒体から第１のダウンストリームハンドシェーク開始信号と第１のアップストリームハンドシェーク開始信号を検出するように構成された受信ユニット、
−前記物理的媒体上に第２のアップストリームハンドシェーク開始信号を送信するように構成された送信ユニット、
−前記トランシーバユニットを中央ユニットまたは遠隔ユニットとして識別するように構成された自己識別モジュールを含むトランシーバユニットに関する。
【背景技術】
【０００２】
そのようなトランシーバユニットは、たとえば２００１年２月にＩｎｔｅｒｎａｔｉｏｎａｌ  Ｔｅｌｅｃｏｍｍｕｎｉｃａｔｉｏｎ  Ｕｎｉｏｎ（ＩＴＵ）によって事前発表された「Ｈａｎｄｓｈａｋｅ  Ｐｒｏｃｅｄｕｒｅｓ  ｆｏｒ  Ｄｉｇｉｔａｌ  Ｓｕｂｓｃｒｉｂｅｒ  Ｌｉｎｅ（ＤＳＬ）  Ｔｒａｎｓｃｅｉｖｅｒｓ」というタイトルの勧告、参照Ｇ．９９４．１から、当該技術ですでに知られている。
【０００３】
この勧告は機能を交換し、かつオペレーションのコモンモードを選択するためにＤｉｇｉｔａｌ  Ｓｕｂｓｃｒｉｂｅｒ  Ｌｉｎｅ（ｘＤＳＬ）トランシーバのための柔軟なメカニズムを提供している。これはハンドシェーク手続きとして知られている。ハンドシェーク手続きに関すると、トランシーバユニットはＨａｎｄＳｈａｋｅ  Ｔｅｒｍｉｎａｔｉｏｎ  Ｕｎｉｔ（ＨＳＴＵ）と称される。
【０００４】
中央の位置（たとえば中央局）に配備されるトランシーバユニットはＨＳＴＵ−Ｃと称される。遠隔の位置（たとえば顧客の住宅）に配備されるトランシーバユニットはＨＳＴＵ−Ｒと称される。ダウンストリームは中央ユニットから遠隔ユニットへと流れる信号を称し、アップストリームは遠隔ユニットから中央ユニットへと流れる信号を称する。
【０００５】
ハンドシェーク手続きは特定のハンドシェーク開始および確認信号の送信と検出で始まり、その構成とタイミングは、オペレーションの全２重モードについては１１章の１（ｐ．７８〜７９）、オペレーションの半２重モードについては１１章の２（ｐ．７９〜８０）に明記されている。
【０００６】
送信と受信のスペクトル、信号の構成とタイミング、状態遷移図などは中央ユニットと遠隔ユニットで異なる。その結果、トランシーバユニットはハンドシェーク手続きの開始の前にそれ自体を中央ユニットとして、または（専用の）遠隔ユニットとして識別するはずである。普通では、これはハード／ソフトで構成されたデータによって、たとえばメモリ内の特定の場所からトランシーバユニットが組み込まれる収納機器のタイプを読み取ることによって達成される。
【０００７】
先行技術の解決策は慎重な機器選択および／または手動型の機器構造を必要とする。もしもネットワークの素子が或る点では中央ユニットとして、他の点では遠隔ユニットとして動作しなければならない、たとえば中間の階層レベルのアクセス集信装置の場合、この解決策はさらに冗長ですらある。
【０００８】
【非特許文献１】Ｉｎｔｅｒｎａｔｉｏｎａｌ  Ｔｅｌｅｃｏｍｍｕｎｉｃａｔｉｏｎ  Ｕｎｉｏｎ（ＩＴＵ）によって事前発表された「Ｈａｎｄｓｈａｋｅ  Ｐｒｏｃｅｄｕｒｅｓ  ｆｏｒ  Ｄｉｇｉｔａｌ  Ｓｕｂｓｃｒｉｂｅｒ  Ｌｉｎｅ（ＤＳＬ）  Ｔｒａｎｓｃｅｉｖｅｒｓ」というタイトルの勧告、参照Ｇ．９９４．１
【発明の開示】
【発明が解決しようとする課題】
【０００９】
本発明の目的は、接続先の同位トランシーバの機能に応じて中央ユニットとして動作するか遠隔ユニットとして動作するかをトランシーバユニットが自在にかつ自動的に選択することを可能にすることである。
【課題を解決するための手段】
【００１０】
本発明によると、この目的は自己識別モジュールが受信ユニットと送信ユニットに結合され、さらに
−第１の時間間隔内で第１のダウンストリームハンドシェーク開始信号と第１のアップストリームハンドシェーク開始信号のいずれかの検出を待ち受け、
−前記第１のダウンストリームハンドシェーク開始信号と前記第１のアップストリームハンドシェーク開始信号のいずれも第１の時間間隔内で検出されない場合に第２のアップストリームハンドシェーク開始信号を送信するように前記送信ユニットに要求し、第２の時間間隔内で前記第１のダウンストリームハンドシェーク開始信号の検出を待ち受け、
−前記第１の時間間隔内または前記第２の時間間隔内で前記第１のダウンストリームハンドシェーク開始信号が検出されるとトランシーバユニットを遠隔ユニットとして識別し、
−前記第１の時間間隔内で前記第１のアップストリームハンドシェーク開始信号が検出されると前記トランシーバユニットを中央ユニットとして識別するように構成されるということによって達成される。
【００１１】
いったんトランシーバユニットがそれ自体を遠隔ユニットまたは中央ユニットとして識別してしまうと、それは遠隔ユニットまたは中央ユニットとしてそれぞれするであろうハンドシェーク手続きを続行する。
【００１２】
本発明は、たとえば機器の立ち上げに引き続いて互いにシェークハンドするために物理的媒体上で信号を交換するどのようなタイプのトランシーバユニットにも適用することが可能である。
【００１３】
本発明によるトランシーバユニットは次の同位装置のいずれとも接続および相互動作することが可能である。
−中央ユニットのみとして動作することが可能であり、かつハンドシェーク手続きを開始することを目的とする同位装置、
−中央ユニットのみとして動作することが可能であり、かつ通信を可能にする信号を待っている同位装置、
−中央ユニットと遠隔ユニットの両方として動作することが可能であり、さらに中央ユニットとしてハード／ソフトの面で構成され、かつハンドシェーク手続きを開始することを目的とする同位装置、
−中央ユニットと遠隔ユニットの両方として動作することが可能であり、さらに中央ユニットとしてハード／ソフトの面で構成され、かつ通信を可能にする信号を待っている同位装置、
−遠隔ユニットのみとして動作することが可能であり、かつハンドシェーク手続きを開始することを目的とする同位装置、
−中央ユニットと遠隔ユニットの両方として動作することが可能であり、さらに中央ユニットとしてハード／ソフトの面で構成され、かつハンドシェーク手続きを開始することを目的とする同位装置、
−中央ユニットと遠隔ユニットの両方として動作することが可能であり、かつ本発明に従ってその動作モードを選択する同位装置。
【００１４】
相互動作可能性のさらなるレベルは請求項２に述べたトランシーバユニットによって達成されることが可能である。
【００１５】
この実施形態では、前記受信ユニットはさらに物理的媒体からアップストリームハンドシェーク確認信号を検出するように構成され、前記送信ユニットはさらに前記物理的媒体上に第２のダウンストリームハンドシェーク開始信号を送信するように構成され、かつ自己識別モジュールがさらに、
−もしも前記第１の時間間隔内で前記第１のダウンストリームハンドシェーク開始信号と前記第１のアップストリームハンドシェーク開始信号のいずれも検出されない場合に前記第２のダウンストリームハンドシェーク開始信号を送信するように前記トランシーバユニットに要求し、第３の時間間隔内で前記アップストリームハンドシェーク確認信号の検出を待ち、
−前記第３の時間間隔内で前記アップストリームハンドシェーク確認信号を検出すると前記トランシーバユニットを中央ユニットとして識別するように構成される。
【００１６】
このトランシーバユニットはさらに、次の同位装置のいずれとも接続および相互動作することが可能である。
−遠隔ユニットのみとして動作することが可能であり、かつ通信を可能にする信号を待っている同位装置、
−中央ユニットと遠隔ユニットの両方として動作することが可能であり、さらに遠隔ユニットとしてハード／ソフトの面で構成され、かつ通信を可能にする信号を待っている同位装置。
【００１７】
実行の順序がさらに請求項３と４で取り扱われている。
【００１８】
請求項３では、前記自己識別モジュールはさらに、前記第２の時間間隔内で前記第１のダウンストリームハンドシェーク開始信号が検出されないならば、前記第２のダウンストリームハンドシェーク開始信号を送信するように前記送信ユニットに要求するように構成される。
【００１９】
すなわち、最初は信号が送信されず、前記第１のダウンストリームハンドシェーク開始信号または前記第１のアップストリームハンドシェーク開始信号が待ち受けられ、次に前記第２のアップストリームハンドシェーク開始信号が送信され、前記第１のダウンストリームハンドシェーク開始信号が待ち受けられ、最後に前記第２のダウンストリームハンドシェーク開始信号が送信され、前記アップストリームハンドシェーク確認信号が待ち受けられる。
【００２０】
もしも期待された信号が検出されない場合、接続が為され得るまでこのサイクルが繰り返される。
【００２１】
請求項４では、前記自己識別モジュールはさらに、前記第３の時間間隔内で前記第１のアップストリームハンドシェーク確認信号が検出されないならば、前記第２のアップストリームハンドシェーク開始信号を送信するように前記送信ユニットに要求するように構成される。
【００２２】
すなわち、信号が送信されず、前記第１のダウンストリームハンドシェーク開始信号または前記第１のアップストリームハンドシェーク開始信号が待ち受けられ、次に前記第２のダウンストリームハンドシェーク開始信号が送信され、前記アップストリームハンドシェーク確認信号が待ち受けられ、最後に前記第２のアップストリームハンドシェーク開始信号が送信され、前記第１のダウンストリームハンドシェーク開始信号が待ち受けられる。
【００２３】
もしも期待された信号が検出されない場合、接続が為され得るまでこのサイクルが繰り返される。
【００２４】
信号が衝突する、たとえばトランシーバユニットが両側で同時にスイッチオンされる時の問題点はさらに請求項５と６で取り扱われている。
【００２５】
請求項５では、前記自己識別モジュールはさらに、もしも期待された信号が検出されないならば、ランダムまたは擬似ランダムの時間的期間の間待機するように構成される。
【００２６】
トランシーバユニットが新たなサイクルに入ると信号が衝突する可能性は低下する。
【００２７】
このランダムまたは擬似ランダムの時間的期間が始まる時間、たとえば前記第２の時間間隔の最後、などは未決定に保たれる。
【００２８】
このランダムまたは擬似ランダムの時間的期間に前記自己識別モジュールが為すこと、たとえば前記第１のダウンストリームハンドシェーク開始信号または前記第１のアップストリームハンドシェーク開始信号を待ち受けることなどもやはり未決定に保たれる。
【００２９】
請求項６では、前記第１の時間間隔または前記第２の時間間隔のいずれの長さもランダムまたは擬似ランダムの数である。
【００３０】
最初のサイクルの間でさえ、信号が衝突する可能性は同等に低く保たれる。
【００３１】
本発明の他の特徴的な実施形態は請求項７、８、９に記載される。それらの実施形態はｘＤＳＬトランシーバユニットに適用することが可能である。
【００３２】
全２重モードでは、前記第１のダウンストリームハンドシェーク開始信号と前記第２のダウンストリームハンドシェーク開始信号はＣ−ＴＯＮＥＳ信号であり、前記第１のアップストリームハンドシェーク開始信号と前記第２のアップストリームハンドシェーク開始信号はＲ−ＴＯＮＥＳ−ＲＥＱ信号であり、前記アップストリームハンドシェーク確認信号はＲ−ＴＯＮＥ１信号である。
【００３３】
Ｃ−ＴＯＮＥＳ、Ｒ−ＴＯＮＥＳ−ＲＥＱおよびＲ−ＴＯＮＥ１信号の定義は引用した参考資料に与えられている。
【００３４】
Ｃ−ＴＯＮＥＳおよびＲ−ＴＯＮＥＳ−ＲＥＱ信号が、対応する信号が検出されるまで妨害されることなく送信され、その一方でトランシーバユニットがダウンストリームもしくはアップストリームの帯域それぞれでいかなる信号を検出することも阻止することは注目に値する。
【００３５】
半２重モードでは、前記第１のダウンストリームハンドシェーク開始信号と前記第２のダウンストリームハンドシェーク開始信号はＣ−ＴＯＮＥＳ信号であり、前記第１のアップストリームハンドシェーク開始信号と前記第２のアップストリームハンドシェーク開始信号はＲ−ＴＯＮＥＳ−ＲＥＱ信号であり、前記アップストリームハンドシェーク確認信号はＲ−ＦＬＡＧ１信号である。
【００３６】
Ｒ−ＦＬＡＧ１信号の定義は引用した参考資料に与えられている。
【００３７】
やはり請求項中でも使用される「含む」という用語がその後に記載される手段に限定されると解釈されるべきでないことに留意すべきである。したがって、「手段ＡとＢを含む装置」という表現の範囲は構成要素ＡとＢだけから成る装置に限定されるべきではない。それは、本発明に関して、装置の該当構成要素がＡとＢであることを意味する。
【００３８】
同様に、やはり請求項中でも使用される「結合される」という用語が直接的な接続だけに限定されると解釈されるべきではないことに留意すべきである。したがって、「装置Ａに結合される装置Ｂ」という表現の範囲は装置Ａの出力部が装置Ｂの入力部に直接的に接続される装置もしくはシステムに限定されるべきではない。それは、Ａの出力部とＢの入力部の間に経路が存在してそれが他の装置もしくは手段を含む経路である可能性があることを意味する。
【００３９】
添付の図面と関連させた実施形態の下記の説明を参照することによって、本発明の上記およびその他の目的および特徴がさらに明らかになり、本発明それ自体が最も理解されるであろう。
【発明を実施するための最良の形態】
【００４０】
図１に描いたように、トランシーバユニットＴＵは次の物理的素子を含む。
−処理ユニットＰＲＯＣ、
−受信ユニットＲＸ、
−送信ユニットＴＸ。
【００４１】
トランシーバユニットＴＵはさらに、当業者に知られているような必要な素子すべてを含む。それらの素子は本発明に関連して述べられるに値しない。
【００４２】
処理ユニットＰＲＯＣは、たとえばアドレス／データバスを経由して受信ユニットＲＸと送信ユニットＴＸに結合される。
【００４３】
本発明の好ましい実施形態では、トランシーバユニットＴＵは４．３１２５ｋＨｚの信号発信系を使用して全２重モードで動作するｘＤＳＬトランシーバユニットである。しかしながら本発明はそれに限定されない。
【００４４】
本発明に関すると、受信ユニットＲＸは、
−周波数指標９、１７および２５を含むＡ４３アップストリームの搬送波セットを傍受すること、
−周波数指標４０、５６および６４を含むＡ４３ダウンストリームの搬送波セットを傍受すること、
−Ａ４３ダウンストリームの搬送波セットにわたってＣ−ＴＯＮＥＳ信号の受信を検出すること、
−Ａ４３アップストリームの搬送波セットにわたってＲ−ＴＯＮＥＳ−ＲＥＱ信号の受信を検出すること、
−Ａ４３アップストリームの搬送波セットにわたってＲ−ＴＯＮＥＳ１信号の受信を検出することが可能である。
【００４５】
受信ユニットＲＸは信号の受信を処理ユニットＰＲＯＣに通知する（図１、受信＿信号参照）。
【００４６】
受信ユニットＲＸはさらに、処理ユニットＰＲＯＣがどの搬送波セット（アップストリーム、ダウンストリームまたは両方）を傍受すべきか選択することを可能にするプログラム可能なレジスタＲＥＧ（図示せず）を処理ユニットＰＲＯＣに供給する（図１、書き込み＿レジスタ参照）。
【００４７】
本発明に関すると、送信ユニットＴＸは、
−Ａ４３ダウンストリームの搬送波セットにわたってＣ−ＴＯＮＥＳ信号を送信すること、
−Ａ４３アップストリームの搬送波セットにわたってＲ−ＴＯＮＥＳ−ＲＥＱ信号を送信することが可能である。
【００４８】
信号は、処理ユニットＰＲＯＣからの要求で送信／遮断／切り換えをされる（図１、送信＿信号、遮断＿信号、切り換え＿信号参照）。
【００４９】
処理ユニットＰＲＯＣは自己識別モジュールＳＩＭを収納しており、それが受信ユニットＲＸおよび送信ユニットＴＸの両方と通信し、かつ本発明に従ってトランシーバユニットＴＵを中央ユニットまたは遠隔ユニットとして識別するように構成される。
【００５０】
自己識別モジュールＳＩＭは、その状態遷移の図式が図２に作図されている有限状態の機械を導入する。この状態遷移の図式で、中央ユニットに関する状態は楕円ＨＳＴＵ−Ｃで囲まれ、遠隔ユニットに関する状態は楕円ＨＳＴＵ−Ｒで囲まれる。実線は状態について使用され、そこではＨＳＴＵはまだＨＳＴＵ−ＲまたはＨＳＴＵ−Ｃとして識別されておらず、それに関して反対側への（おそらくサイレント状態を経由した）遷移がまだ可能である。破線は規格化されたＧ．９９４．１状態について使用され、ＨＳＴＵはＨＳＴＵ−Ｒまたは（専用の）ＨＳＴＵ−Ｃとして識別されており、その後はＧ．９９４．１のそれぞれの信号の構成とタイミングを遵守する。
【００５１】
初期的には、自己識別モジュールＳＩＭはＳ＿ＳＩＬＥＮＴ状態（図２参照）にある。この状態では、自己識別モジュールＳＩＭは受信ユニットＲＸがＡ４３アップストリーム搬送波セットとＡ４３ダウンストリーム搬送波セットの両方を傍受するようにレジスタＲＥＧをプログラムする。その後すぐに、自己識別モジュールＳＩＭは第１のタイマＴ１を始動させる。
【００５２】
状態Ｓ＿ＳＩＬＥＮＴでは次の事象が予期される。
−Ｃ−ＴＯＮＥＳが検出され、
−Ｒ−ＴＯＮＥＳ−ＲＥＱが検出され、
−タイマＴ１が切れる。
【００５３】
Ｃ−ＴＯＮＥＳ信号が検出されれば、自己識別モジュールＳＩＭはトランシーバユニットＴＵをＨＳＴＵ−Ｒと識別し、適用可能なＧ．９９４．１の状態機械、Ｓ＿Ｒ−ＴＯＮＥ１  Ｇ．９９４．１  ＨＳＴＵ−Ｒ状態へとジャンプする。
【００５４】
Ｒ−ＴＯＮＥＳ−ＲＥＱ信号が検出されれば、自己識別モジュールＳＩＭはトランシーバユニットＴＵをＨＳＴＵ−Ｃと識別し、適用可能なＧ．９９４．１の状態機械、Ｓ＿Ｃ−ＴＯＮＥＳ  Ｇ．９９４．１  ＨＳＴＵ−Ｃ状態へとジャンプする。
【００５５】
タイマＴ１が切れれば、自己識別モジュールＳＩＭはＳ＿Ｒ−ＴＯＮＥＳ−ＲＥＱ’状態に入る。
【００５６】
Ｓ＿Ｒ−ＴＯＮＥＳ−ＲＥＱ’状態では、自己識別モジュールＳＩＭはさらなる通知があるまでＲ−ＴＯＮＥＳ−ＲＥＱ信号を送信するように送信ユニットＴＸに要求し、受信ユニットＲＸがＡ４３ダウンストリーム搬送波セットだけを傍受するようにレジスタＲＥＧをプログラムする。その後すぐに、自己識別モジュールＳＩＭは第２のタイマＴ２を始動させる。
【００５７】
Ｓ＿Ｒ−ＴＯＮＥＳ＿ＲＥＱ’状態では次の事象が予期される。
−Ｃ−ＴＯＮＥＳ信号が検出され、
−タイマＴ２が切れる。
【００５８】
Ｃ−ＴＯＮＥＳ信号が検出されれば、自己識別モジュールＳＩＭはトランシーバユニットＴＵをＨＳＴＵ−Ｒと識別し、適用可能なＧ．９９４．１の状態機械、Ｓ＿Ｒ−ＳＩＬＥＮＴ１  Ｇ．９９４．１  ＨＳＴＵ−Ｒ状態へとジャンプする。
【００５９】
タイマＴ２が切れれば、自己識別モジュールＳＩＭはＳ＿Ｃ−ＴＯＮＥＳ’状態に入る。
【００６０】
Ｓ＿Ｃ−ＴＯＮＥＳ’状態では、自己識別モジュールＳＩＭはさらなる通知があるまでＣ−ＴＯＮＥＳ信号を送信するように送信ユニットＴＸに要求し、受信ユニットＲＸがＡ４３アップストリーム搬送波セットだけを傍受するようにレジスタＲＥＧをプログラムする。その後すぐに、自己識別モジュールＳＩＭは第３のタイマＴ３を始動させる。
【００６１】
Ｓ＿Ｃ−ＴＯＮＥＳ’状態では次の事象が予期される。
−Ｒ−ＴＯＮＥ１信号が検出され、
−タイマＴ３が切れる。
【００６２】
Ｒ−ＴＯＮＥ１信号が検出されれば、自己識別モジュールＳＩＭはトランシーバユニットＴＵをＨＳＴＵ−Ｃと識別し、適用可能なＧ．９９４．１の状態機械、Ｓ＿Ｃ−ＧＡＬＦ１  Ｇ．９９４．１  ＨＳＴＵ−Ｃ状態へとジャンプする。
【００６３】
タイマＴ３が切れれば、自己識別モジュールＳＩＭはランダムの時間的期間について待機する。
【００６４】
あらゆる状態に関して、どのような不測の事象も自己識別モジュールＳＩＭに自己識別手続きを中断させ、初期のＳ＿ＳＩＬＥＮＴ状態に再度入らせる。
【００６５】
別の選択肢となる実施形態では、トランシーバユニットＴＵは４ｋＨｚと４．３１２５ｋＨｚ信号発信系の両方をサポートし、かつ／または複数の搬送波セット（オペレーションの複数のＤＳＬモード）をサポートする。
【００６６】
別の選択肢となる実施形態では、待ち受けられる追加のランダムの時間的期間はない。その代わりに、Ｔ１、Ｔ２またはＴ３の継続時間のいずれもがランダムまたは擬似ランダムの数である。
【００６７】
最後の注釈は、本発明の実施形態が機能ブロックの観点から以上に説明されているということである。これらのブロックの機能上の上記の説明から、どのようにしてこれらのブロックがよく知られている電子部品から製造されることが可能であるかは電子デバイスを設計する当業者にとって明らかであろう。したがって、機能ブロックの内容の詳細な構造物は与えられない。
【００６８】
特定の装置と結びつけて本発明の原理を以上で説明してきたが、この説明が範例の方式のみで為され、添付の特許請求の範囲に規定する本発明を限定するものでないことは明確に理解されるべきである。
【図面の簡単な説明】
【００６９】
【図１】本発明に関するトランシーバユニットを示すブロック図である。
【図２】自己識別モジュールの状態遷移を示す図である。
【符号の説明】
【００７０】
ＴＵ  トランシーバユニット
ＲＸ  受信ユニット
ＴＸ  送信ユニット
ＳＩＭ  自己識別モジュール
ＰＲＯＣ  処理ユニット
ＨＳＴＵ−Ｃ  中央に配備されるトランシーバユニット
ＨＳＴＵ−Ｒ  遠隔に配備されるトランシーバユニット
【図１】
2004282726.tif 000003
【図２】
2004282726.tif 000004
【外国語明細書】
2004282726.tif 000005
2004282726.tif 000006
2004282726.tif 000007
2004282726.tif 000008
2004282726.tif 000009
2004282726.tif 000010
2004282726.tif 000011
2004282726.tif 000012
2004282726.tif 000013
2004282726.tif 000014
2004282726.tif 000015
2004282726.tif 000016
2004282726.tif 000017
2004282726.tif 000018
2004282726.tif 000019
2004282726.tif 000020
2004282726.tif 000021
2004282726.tif 000022